(57)【特許請求の範囲】
【請求項１】
前段コンベヤとその両側に配設した後段コンベヤとの接続部に、頂部を前段コンベヤの中央部に位置させ、両裾部を前段コンベヤと後段のコンベヤとの境部に位置させた山形ガイドを設けて、この山形ガイドにより移送物品を両側の後段コンベヤへ分送させる分送コンベヤにおいて、
前記山形ガイドを頂部で２分割して、裾部を前段コンベヤと後段コンベヤとの境部へ枢着することにより開閉可能とし、
操作手段で頂部が接するように回動させると山形ガイドとなり、頂部が離れるように回動させると平行した送出部材となるようにした
ことを特徴とする分送コンベヤの移載ガイド兼送出し装置。
【発明の詳細な説明】
【０００１】
【産業上の利用分野】
本発明は、分送コンベアの移載ガイド兼送出し装置。詳しくは物品の搬送状態に応じて、山型に閉じたり、平行に開かせたりして、物品の分送ガイドと残物品排出とに兼用できる装置に関する。
【０００２】
【従来の技術】
従来、図４に示すように物品の加温室２１等に設置した前段コンベア２２により搬送される物品を、山型ガイド２３により前段コンベア２２の両側に配設した後段コンベア２４，２４へ移載し、後段コンベア２４，２４により分送させる分送コンベア装置は公知であり、このコンベア装置は、搬送コンベア２２へ供給される物品が途絶えて、山型ガイド２３の両側に物品が残ったとき、後続物品による押し出しがなくなるため、残存物品の移載に時間がかかる問題点がある。
【０００３】
【発明が解決しようとする課題】
本発明は、前記した従来の問題点を解決するためになされたもので、物品が搬送される間は山型に閉じて両側の後段コンベアへ物品を分送している山型ガイドを、物品の搬送が止ってガイドの横のみに物品が残る状態となったとき平行するように開かせて残物品を速やかに後段コンベアへ移させる分送コンベアの移載ガイド兼送出し装置を提供する。
【０００４】
【課題を解決するための手段】
前記課題を解決するため本発明に係る分送コンベヤの移載ガイド兼送出し装置は、前段コンベヤとその両側に配設した後段コンベヤとの接続部に、頂部を前段コンベヤの中央部に位置させ、両裾部を前段コンベヤと後段のコンベヤとの境部に位置させた山形ガイドを設けて、この山形ガイドにより移送物品を両側の後段コンベヤへ分送させる分送コンベヤにおいて、前記山形ガイドを頂部で２分割して、裾部を前段コンベヤと後段コンベヤとの境部へ枢着することにより開閉可能とし、操作手段で頂部が接するように回動させると山形ガイドとなり、頂部が離れるように回動させると平行した送出部材となるようにしたことを特徴とする。
【０００５】
【作用】
前記した構成の本発明に係る分送コンベアの移載ガイド兼送出し装置は、山型ガイドを図１に示すように閉じて前段コンベアにより物品を搬送すれば、搬送される物品は山型ガイドの位置に達すると、その頂点により二手に分けられて両側の斜面により除々に後段コンベア側へ寄せられ、ガイドの裾部に達するとき後段コンベアへ移されてこれにより分送される。しかし、物品の供給が停止されるため、物品が山型ガイドの側方だけに存在する状態になると、後続物品による押し出しがなくなるため、物品の後段コンベアへの移載には時間がかかるようになるので、このとき操作手段により山型ガイドを平行するように開かせると、その側方に存在する物品を一挙に後段コンベアへ押し出されて、後段コンベアにより搬送を速やかに完了させるものである。
【０００６】
以下に本発明に係る分送コンベアの移載ガイド兼送出し装置の実施例を図面に基づいて説明する。
【０００７】
図１は本発明に係る装置の山型ガイドを閉じて前段コンベアから後段コンベアへの物品の移載を案内させる状態の一例を示す平面図、図２は同上山型ガイドを開いて前段コンベア上の残存物品を後段コンベアへ押し出させる一例を示す平面図、図３は同上ガイドを開閉する操作手段の一例を示す一部を破断した側面図である。
【０００８】
図１、図２において符号１は前段コンベアを示すもので、例えば飲食品等収容する壜、缶などの物品を温める加温室２にその中を通過するように懸張されていて、図面には示してない始端において物品を供給すると、これら物品を図１に矢印で示すように加温室２内を搬送し、搬送中に必要温度に温めて加温室２から搬出する。
【０００９】
図１、図２において符号３，３は前記した前段コンベア１の終端部の両側に配置した後段コンベアを示すもので、これらコンベア３，３は前段コンベア１上を搬送される物品を後記する移載ガイドにより移載されて図１、図２に矢印で示すように搬送するもので、前記前段コンベア１に端縁を接近して、表面が前段コンベア１と揃うように位置付けられている。
【００１０】
図１、図２において符号４、４は山型ガイドを示すもので、これらガイド４、４はその裾部をフレーム５に固定した枢軸６、６へ嵌合して回動自在とし、後記する操作手段により閉じると図１に示す通り山型となり、その頂部により前段コンベヤ１で搬送されて来る物品を二手に分けて、分けられた物品を傾斜面により図１に矢印で示すように両側の後段コンベヤ３、３へ案内し、後段コンベヤ３、３へ移載してこれらにより分送させる。しかし、物品の供給が停止して前段コンベヤ１上の物品が山型ガイド４、４の両側にしか存在しなくなると、物品は後続のものによる押し出しがなくなるため、後段コンベヤ３、３への移載に時間がかかるようになる。そこで後記する操作手段により山型ガイド４、４を図２に示すように開かせれば、山型ガイド４、４は互に平行して前段コンベヤ１と後段コンベヤ３、３との端部へ移動し、その両側に残存していた物品を図４の矢印で示すようにコンベヤ３、３へ一挙に押し出して、後段コンベヤ３、３により速やかに次工程へ搬送させる。
【００１１】
図１〜図３において符号Ａは前記山型ガイド４，４の開閉操作を行う操作手段を示すもので、図３のようにフレーム５へ揺動可能に取り付けたシリンダ７と、前記山型ガイド４，４の中間に一端を連結し、他端を軸８に支持させた一対のベルクランク９、１０及び９，１０と、これらベルクランク９，１０及び９，１０の一方９，９の中間と前記シリンダ７のロッド１１の先端とを連結するリンク１２，１２とにより構成したもので、前記シリンダ７のロッド１１を引っ込めると、ベルクランク９，１０び９，１０は図１に示すようにつぼまって山型ガイド４，４を山型に閉じさせ、シリンダ７のロッド１１を押し出すと、ベルクランク９，１０及び９，１０は図２に示すように広がって山型ガイド４，４を平行するように開かせる作用を行う。
【００１２】
図１〜図３において符号１３、１４、１５は前記した山型ガイド４，４とベルクラン９，１０及び９，１０とを前段コンベア１へ触れないように保持させる吊杆を示すもので、フレーム５に支持させて前段コンベア１の上方に配設し、吊杆１３と１４の間には両者の接合杆１６を取り付けて、吊杆１４の下側に前記したベルクランク９，９を支持させた軸８を取り付け、接合杆１６の下部に設けたガイド１７にシリンダ７のロッド１１とレバー１２，１２とを連結する軸１８を支持する駒１９を移動自在に係合させてあり、更に吊杆１５の下側には山型ガイド４，４の先端支持部材２０を取り付けて、山型ガイド４，４とその操作手段Ａが前段コンベア１と離隔した位置で確実に作動するようにしてある。
【００１３】
【発明の効果】
前述した通り、本発明に係る分送コンベアの移載ガイド兼送出し装置は、前段コンベアにより物品が搬送される間は山型を保持して後段コンベアへ物品の移載を行っていた山型ガイトが、物品の供給の停止によって山型ガイドの側方のみに物品が存在する状態になると、平行するように開いて物品を一挙に後段コンベアへ移載し、後段コンベアによる物品の搬出を速やかに終了させて作業時間の短縮に寄与するものである。
【図面の簡単な説明】
【図１】本発明に係る装置の山型ガイドを閉じて前段コンベアから後段コンベアへの物品の移載を案内させる状態を示す平面図である。
【図２】同上山型ガイドを開いて前段コンベア上の残存物品を後段コンベアへ押し出させる状態を示す平面図である。
【図３】同上ガイドを開閉する操作手段の一例を一部を破断して示す側面図である。
【図４】従来の分送コンベアの山型ガイドにより前段コンベアから後段コンベアへの物品
【符号の説明】
１  前段コンベア
３，３  後段コンベア
４，４  山型ガイド
Ａ  操作手段
【図１】
0003554838.tif 000002
【図２】
0003554838.tif 000003
【図３】
0003554838.tif 000004
【図４】
0003554838.tif 000005